(57)【特許請求の範囲】
【請求項１】
人体の胸部を動態撮影して、前記胸部の動態を示す複数のフレーム画像を取得する撮影手段と、
前記取得された複数のフレーム画像から、喚気の状態が異常であるか否かを示す喚気情報、及び血流の状態が異常であるか否かを示す血流情報の両方を生成する診断支援情報生成手段と、
を備える動態画像診断支援システム。
【請求項２】
前記喚気情報及び前記血流情報に基づいて、前記胸部の動態が異常であるか否かを判定する判定手段を備える請求項１に記載の動態画像診断支援システム。
【請求項３】
撮影手段及び診断支援情報生成手段を備える動態画像診断支援システムにおける胸部診断支援情報生成方法であって、
前記撮影手段により、人体の胸部を動態撮影して、前記胸部の動態を示す複数のフレーム画像を取得する工程と、
前記診断支援情報生成手段により、前記取得された複数のフレーム画像から、喚気の状態が異常であるか否かを示す喚気情報、及び血流の状態が異常であるか否かを示す血流情報の両方を生成する工程と、
を含む胸部診断支援情報生成方法。
【請求項４】
前記動態画像診断支援システムは、判定手段を備え、
前記判定手段により、前記喚気情報及び前記血流情報に基づいて、前記胸部の動態が異常であるか否かを判定する工程を含む請求項３に記載の胸部診断支援情報生成方法。
【発明の詳細な説明】
【技術分野】
【０００１】
本発明は、動態画像診断支援システム及び胸部診断支援情報生成方法に関するものである。
【背景技術】
【０００２】
従来のフィルム／スクリーンや輝尽性蛍光体プレートを用いた放射線の静止画撮影及び診断に対し、ＦＰＤ（flat panel detector）等の半導体イメージセンサを利用して検査対象部位の動態画像を撮影し、診断に応用する試みがなされるようになってきている。具体的には、半導体イメージセンサの画像データの読取・消去の応答性の早さを利用し、半導体イメージセンサの読取・消去のタイミングと合わせて放射源からパルス状の放射線を連続照射し、１秒間に複数回の撮影を行って、検査対象部位の動態を撮影する。撮影により取得された一連の複数枚の画像を順次表示することにより、医師は検査対象部位の一連の動きを認識することが可能となる。
【０００３】
また、動態画像を見やすく表示するための各種技術も提案されている。例えば、特許文献１には、動態画像のフレーム間差分画像を作成し、差分動画像を表示する技術が記載されている。
【先行技術文献】
【特許文献】
【０００４】
【特許文献１】特開２００４−３１２４３４号公報
【発明の概要】
【発明が解決しようとする課題】
【０００５】
ところで、肺の疾患には、肺野の喚気状態及び血流の状態の組み合わせにより診断がなされるものがある。例えば、喚気が十分にあるが血流が十分でない箇所があると、その箇所は慢性肺気種の疑いがあると診断される。また、血流が十分にあるが喚気が十分でない箇所があると、その箇所は慢性気管支炎の疑いがあると診断される。
【０００６】
しかしながら、特許文献１に記載の差分画像では、人体の呼吸に伴う肺野の膨張及び収縮の形態変化や心臓の拍動等は表示可能であるが、肺野における血流の情報は差分処理に伴い消滅してしまう。そのため、血流の状態を加味した診断支援情報を医師に提供することはできなかった。
【０００７】
本発明の課題は、喚気の状態だけでなく、呼吸に伴う血流の状態を加味した診断支援情報を提供できるようにすることである。
【課題を解決するための手段】
【０００８】
上記課題を解決するため、請求項１に記載の発明の動態画像診断支援システムは、
人体の胸部を動態撮影して、前記胸部の動態を示す複数のフレーム画像を取得する撮影手段と、
前記取得された複数のフレーム画像から、喚気の状態が異常であるか否かを示す喚気情報、及び血流の状態が異常であるか否かを示す血流情報の両方を生成する診断支援情報生成手段と、
を備える。
【０００９】
請求項２に記載の発明は、請求項１に記載の発明において、
前記喚気情報及び前記血流情報に基づいて、前記胸部の動態が異常であるか否かを判定する判定手段を備える。
【００１０】
請求項３に記載の発明は、
撮影手段及び診断支援情報生成手段を備える動態画像診断支援システムにおける胸部診断支援情報生成方法であって、
前記撮影手段により、人体の胸部を動態撮影して、前記胸部の動態を示す複数のフレーム画像を取得する工程と、
前記診断支援情報生成手段により、前記取得された複数のフレーム画像から、喚気の状態が異常であるか否かを示す喚気情報、及び血流の状態が異常であるか否かを示す血流情報の両方を生成する工程と、
を含む。
【００１１】
請求項４に記載の発明は、請求項３に記載の発明において、
前記動態画像診断支援システムは、判定手段を備え、
前記判定手段により、前記喚気情報及び前記血流情報に基づいて、前記胸部の動態が異常であるか否かを判定する工程を含む。
【発明の効果】
【００１２】
本発明によれば、喚気の状態だけでなく、呼吸に伴う血流の状態を加味した診断支援情報を提供することが可能となる。
【図面の簡単な説明】
【００１３】
【図１】本発明の実施の形態における動態画像診断支援システムの全体構成例を示す図である。
【図２】図１に示す撮影用コンソールの制御部により実行される撮影制御処理を示すフローチャートである。
【図３】図１に示す演算装置の制御部により実行される画像解析処理を示すフローチャートである。
【図４】図１に示す演算装置の制御部により実行される領域分割処理を示すフローチャートである。
【図５】図４の領域分割処理により取得される小領域を説明するための図である。
【図６】図１に示す演算装置の制御部により実行される喚気判定処理を示すフローチャートである。
【図７】（ａ）は、図６の喚気判定処理において異常の判定に用いる周辺領域を説明するための図、（ｂ）は、小領域が小さい場合に図６の喚気判定処理において異常の判定に用いる周辺領域を説明するための図である。
【図８】（ａ）は、図６の喚気判定処理において異常の判定に用いる左右の肺野領域を説明するための図、（ｂ）は、小領域が小さい場合に図６の喚気判定処理において異常の判定に用いる左右の肺野領域を説明するための図である。
【図９】図１に示す演算装置の制御部により実行される血流判定処理を示すフローチャートである。
【図１０】図１に示す診断用コンソールの制御部により実行される表示制御処理を示すフローチャートである。
【図１１】図１に示す診断用コンソールの表示部に表示される判定結果表示画面の一例を示す図である。
【発明を実施するための形態】
【００１４】
以下、本発明に係る一実施形態について説明する。ただし、本発明は図示例のものに限定されるものではない。
〔動態画像診断支援システム１００の構成〕
まず、構成を説明する。
【００１５】
図１に、本実施の形態における動態画像診断支援システム１００の全体構成を示す。
【００１６】
図１に示すように、動態画像診断支援システム１００は、撮影装置１と、撮影用コンソール２とが通信ケーブル等により接続され、撮影用コンソール２と、診断用コンソール３と、演算装置４と、画像サーバ５とがＬＡＮ（Local Area Network）等の通信ネットワークＮＴを介して接続されて構成されている。動態画像診断支援システム１００を構成する各装置は、ＤＩＣＯＭ（Digital Image and Communications in Medicine）規格に準じており、各装置間の通信は、ＤＩＣＯＭに則って行われる。
〔撮影装置１の構成〕
撮影装置１は、例えば、呼吸に伴う肺の膨張及び収縮の形態変化、心臓の拍動等を含む人体の胸部を動態撮影する装置である。動態撮影は、人体の胸部に対し、Ｘ線等の放射線を連続照射して複数の画像を取得（即ち、連続撮影）することにより行う。この連続撮影により得られた一連の画像を動態画像と呼ぶ。また、動態画像を構成する複数の画像のそれぞれをフレーム画像と呼ぶ。
【００１７】
撮影装置１は、図１に示すように、放射線源１１、放射線照射制御装置１２、放射線検出部１３、読取制御装置１４、サイクル検出センサ１５、サイクル検出装置１６等を備えて構成されている。
【００１８】
放射線源１１は、放射線照射制御装置１２の制御に従って、被写体Ｍに対し放射線（Ｘ線）を照射する。
【００１９】
放射線照射制御装置１２は、撮影用コンソール２に接続されており、撮影用コンソール２から入力された放射線照射条件に基づいて放射線源１１を制御して放射線撮影を行う。撮影用コンソール２から入力される放射線照射条件は、例えば、連続照射時のパルスレート、パルス幅、パルス間隔、撮影開始／終了タイミング、Ｘ線管電流の値、Ｘ線管電圧の値、フィルタ種等である。パルスレートは、１秒あたりの放射線照射回数であり、後述するフレームレートと一致している。パルス幅は、放射線照射１回当たりの放射線照射時間である。パルス間隔は、連続撮影において、１回の放射線照射開始から次の放射線照射開始までの時間であり、後述するフレーム間隔と一致している。
【００２０】
放射線検出部１３は、ＦＰＤ等の半導体イメージセンサにより構成される。ＦＰＤは、例えば、ガラス基板等を有しており、基板上の所定位置に、放射線源１１から照射されて少なくとも被写体Ｍを透過した放射線をその強度に応じて検出し、検出した放射線を電気信号に変換して蓄積する複数の画素がマトリックス状に配列されている。各画素は、例えばＴＦＴ（Thin Film Transistor）等のスイッチング部により構成されている。
【００２１】
読取制御装置１４は、撮影用コンソール２に接続されている。読取制御装置１４は、撮影用コンソール２から入力された画像読取条件に基づいて放射線検出部１３の各画素のスイッチング部を制御して、当該各画素に蓄積された電気信号の読み取りをスイッチングしていき、放射線検出部１３に蓄積された電気信号を読み取ることにより、画像データを取得する。そして、読取制御装置１４は、取得した画像データを撮影用コンソール２に出力する。画像読取条件は、例えば、フレームレート、フレーム間隔、画素サイズ、画像サイズ（マトリックスサイズ）等である。フレームレートは、１秒あたりに取得するフレーム画像数であり、パルスレートと一致している。フレーム間隔は、連続撮影において、１回のフレーム画像の取得動作開始から次のフレーム画像の取得動作開始までの時間であり、パルス間隔と一致している。
【００２２】
ここで、放射線照射制御装置１２と読取制御装置１４は互いに接続され、互いに同期信号をやりとりして放射線照射動作と画像の読み取りの動作を同調させるようになっている。
【００２３】
サイクル検出センサ１５は、被写体Ｍの呼吸運動の状態を検出して検出情報をサイクル検出装置１６に出力する。サイクル検出センサ１５としては、例えば、呼吸モニタベルト、ＣＣＤ（Charge Coupled Device）カメラ、光学カメラ、スパイロメータ等を適用することができる。
【００２４】
サイクル検出装置１６は、サイクル検出センサ１５により入力された検出情報に基づいて、呼吸サイクル数、及び現在呼吸運動の１サイクル中のどの状態であるか（例えば、吸気、吸気から呼気の変換点、呼気、呼気から吸気の変換点のどの状態か）を検出し、検出結果（サイクル情報）を撮影用コンソール２の制御部２１に出力する。サイクル検出装置１６は、例えば、サイクル検出センサ１５（呼吸モニタベルト、ＣＣＤカメラ、光学カメラ、スパイロメータ等）により肺の状態が吸気から呼気への変換点であることを示す検出情報が入力されたタイミングを１サイクルの基点とし、次にこの状態が検出されるタイミングまでの間を１サイクルとして認識する。
〔撮影用コンソール２の構成〕
撮影用コンソール２は、放射線照射条件や画像読取条件を撮影装置１に出力して撮影装置１による放射線撮影及び放射線画像の読み取り動作を制御するとともに、撮影装置１により取得された画像データを撮影技師によるポジショニングの確認や診断に適した画像であるか否かの確認用に表示する。
【００２５】
撮影用コンソール２は、図１に示すように、制御部２１、記憶部２２、操作部２３、表示部２４、通信部２５を備えて構成され、各部はバス２６により接続されている。
【００２６】
制御部２１は、ＣＰＵ（Central Processing Unit）、ＲＡＭ（Random Access Memory）等により構成される。制御部２１のＣＰＵは、操作部２３の操作に応じて、記憶部２２に記憶されているシステムプログラムや各種処理プログラムを読み出してＲＡＭ内に展開し、展開されたプログラムに従って撮影用コンソール２各部の動作や、撮影装置１の放射線照射動作及び読み取り動作を集中制御する。
【００２７】
記憶部２２は、不揮発性の半導体メモリやハードディスク等により構成される。記憶部２２は、制御部２１で実行される各種プログラムやプログラムにより処理の実行に必要なパラメータ、或いは処理結果等のデータを記憶する。例えば、記憶部２２は、図２に示す撮影フローの制御を行うための撮影制御処理プログラムを記憶している。また、記憶部２２は、検査対象部位に対応付けて放射線照射条件及び画像読取条件を記憶している。各種プログラムは、読取可能なプログラムコードの形態で格納され、制御部２１は、当該プログラムコードに従った動作を逐次実行する。
【００２８】
操作部２３は、カーソルキー、数字入力キー、及び各種機能キー等を備えたキーボードと、マウス等のポインティングデバイスを備えて構成され、キーボードに対するキー操作やマウス操作により入力された指示信号を制御部２１に出力する。また、操作部２３は、表示部２４の表示画面にタッチパネルを備えても良く、この場合、タッチパネルを介して入力された指示信号を制御部２１に出力する。
【００２９】
表示部２４は、ＬＣＤ（Liquid Crystal Display）やＣＲＴ（Cathode Ray Tube）等のモニタにより構成され、制御部２１から入力される表示信号の指示に従って、操作部２３からの入力指示やデータ等を表示する。
【００３０】
通信部２５は、ＬＡＮアダプタやモデムやＴＡ（Terminal Adapter）等を備え、通信ネットワークＮＴに接続された各装置との間のデータ送受信を制御する。
〔診断用コンソール３の構成〕
診断用コンソール３は、画像サーバ５から動態画像の画像データを取得し、取得した画像データに基づいて動態画像を表示して医師が読影診断するための端末である。
【００３１】
診断用コンソール３は、図１に示すように、制御部３１、記憶部３２、操作部３３、表示部３４、通信部３５を備えて構成され、各部はバス３６により接続されている。
【００３２】
制御部３１は、ＣＰＵ、ＲＡＭ等により構成される。制御部３１のＣＰＵは、操作部３３の操作に応じて、記憶部３２に記憶されているシステムプログラムや、各種処理プログラムを読み出してＲＡＭ内に展開し、展開されたプログラムに従って、後述する表示制御処理を始めとする各種処理を実行し、診断用コンソール３各部の動作を集中制御する。
【００３３】
記憶部３２は、不揮発性の半導体メモリやハードディスク等により構成される。記憶部３２は、制御部３１で実行される表示制御処理プログラムを始めとする各種プログラムやプログラムにより処理の実行に必要なパラメータ、或いは処理結果等のデータを記憶する。これらの各種プログラムは、読取可能なプログラムコードの形態で格納され、制御部３１は、当該プログラムコードに従った動作を逐次実行する。
【００３４】
操作部３３は、カーソルキー、数字入力キー、及び各種機能キー等を備えたキーボードと、マウス等のポインティングデバイスを備えて構成され、キーボードに対するキー操作やマウス操作により入力された指示信号を制御部３１に出力する。また、操作部３３は、表示部３４の表示画面にタッチパネルを備えても良く、この場合、タッチパネルを介して入力された指示信号を制御部３１に出力する。
【００３５】
表示手段としての表示部３４は、ＬＣＤやＣＲＴ等のモニタにより構成され、制御部３１から入力される表示信号の指示に従って、操作部３３からの入力指示やデータ等を表示する。
【００３６】
通信部３５は、ＬＡＮアダプタやモデムやＴＡ等を備え、通信ネットワークＮＴに接続された各装置との間のデータ送受信を制御する。
〔演算装置４の構成〕
演算装置４は、撮影用コンソール２から送信された動態画像の画像データに画像解析処理を施して、画像サーバ５に送信する。
【００３７】
演算装置４は、図１に示すように、制御部４１、記憶部４２、通信部４３等を備えて構成され、各部はバス４４により接続されている。
【００３８】
制御部４１は、ＣＰＵ、ＲＡＭ等により構成される。制御部４１のＣＰＵは、記憶部４２に記憶されているシステムプログラムや、各種処理プログラムを読み出してＲＡＭ内に展開し、展開されたプログラムに従って、後述する画像解析処理を始めとする各種処理を実行し、演算装置４各部の動作を集中制御する。
【００３９】
記憶部４２は、不揮発性の半導体メモリやハードディスク等により構成される。記憶部４２は、制御部４１で実行される画像解析処理プログラムを始めとする各種プログラムやプログラムにより処理の実行に必要なパラメータ、或いは処理結果等のデータを記憶する。これらの各種プログラムは、読取可能なプログラムコードの形態で格納され、制御部４１は、当該プログラムコードに従った動作を逐次実行する。
【００４０】
通信部４３は、ＬＡＮアダプタやモデムやＴＡ等を備え、通信ネットワークＮＴに接続された各装置との間のデータ送受信を制御する。
〔画像サーバ５の構成〕
画像サーバ５は、ハードディスク等により構成される記憶装置を有し、演算装置４から送信された動態画像の画像データを記憶装置に検索可能に記憶し管理するコンピュータ装置である。画像サーバ５は、診断用コンソール３から動態画像の取得要求が送信されると、要求された動態画像の画像データを記憶装置から読み出して診断用コンソール３に送信する。
〔動態画像診断支援システム１００の動作〕
次に、上記動態画像診断支援システム１００における動作について説明する。
（撮影動作）
まず、動態画像診断支援システム１００における撮影の流れについて説明する。
【００４１】
図２に、撮影装置１及び撮影用コンソール２において実行される撮影フローを示す。
【００４２】
まず、撮影技師により撮影用コンソール２の操作部２３が操作され、撮影対象（被写体Ｍ）の患者情報（患者の氏名、身長、体重、年齢、性別等）の入力が行われる（ステップＳ１）。
【００４３】
次いで、撮影用コンソール２の制御部２１により、放射線照射条件が記憶部２２から読み出されて放射線照射制御装置１２に設定されるとともに、画像読取条件が記憶部２２から読み出されて読取制御装置１４に設定される（ステップＳ２）。
【００４４】
次いで、操作部２３の操作による放射線照射の指示が待機され、操作部２３により放射線照射指示が入力されると（ステップＳ３；ＹＥＳ）、制御部２１により、サイクル検出装置１６にサイクル検出開始の指示が出力され、サイクル検出センサ１５及びサイクル検出装置１６による被写体Ｍの呼吸運動のサイクル検出が開始される（ステップＳ４）。サイクル検出装置１６により所定の状態（ここでは、吸気から呼気への変換点）であることが検出されると、制御部２１により放射線照射制御装置１２及び読取制御装置１４に撮影開始指示が出力され、動態撮影が開始される（ステップＳ５）。即ち、放射線照射制御装置１２に設定されたパルス間隔で放射線源１１により放射線が照射され、放射線検出部１３により画像データ（フレーム画像）が取得される。サイクル検出装置１６により予め定められた動態サイクル数が検出されると、制御部２１により放射線照射制御装置１２及び読取制御装置１４に撮影終了の指示が出力され、撮影動作が停止される。
【００４５】
撮影により取得された画像データは順次撮影用コンソール２に入力され、制御部２１により、撮影順を示す番号と対応付けて記憶部２２に記憶されるとともに（ステップＳ６）、表示部２４に表示される（ステップＳ７）。撮影技師は、表示された動態画像によりポジショニング等を確認し、撮影により診断に適した画像が取得された（撮影ＯＫ）か、再撮影が必要（撮影ＮＧ）か、を判断する。そして、操作部２３を操作して、判断結果を入力する。
【００４６】
操作部２３の所定の操作により撮影ＯＫを示す判断結果が入力されると（ステップＳ８；ＹＥＳ）、制御部２１により、動態撮影で取得された一連の画像データ、即ち一連のフレーム画像のそれぞれに、動態画像を識別するための識別ＩＤや、患者情報、検査対象部位、放射線照射条件、画像読取条件、撮影順を示す番号、サイクル情報等の情報が付帯され（例えば、ＤＩＣＯＭ形式で画像データのヘッダ領域に書き込まれ）、通信部２５を介して演算装置４に送信される（ステップＳ９）。そして、本処理は終了する。一方、操作部２３の所定の操作により撮影ＮＧを示す判断結果が入力されると（ステップＳ８；ＮＯ）、制御部２１により、記憶部２２に記憶された一連の画像データが削除され（ステップＳ１０）、本処理は終了する。
（演算装置４の動作）
次に、演算装置４における動作について説明する。
【００４７】
演算装置４においては、通信部４３を介して撮影用コンソール２から動態画像の一連の画像データが受信されると、制御部４１と記憶部４２に記憶されている画像解析処理プログラムとの協働により図３に示す画像解析処理が実行される。
【００４８】
画像解析処理においては、まず、領域分割処理が実行される（ステップＳ１１）。
【００４９】
図４に、領域分割処理のフローを示す。当該処理は、制御部４１と記憶部４２に記憶されている領域分割処理プログラムとの協働により実現される。
【００５０】
まず、動態画像を構成する複数のフレーム画像の中から基準画像（基準画像Ｐ１とする）が設定される（ステップＳ１０１）。基準画像Ｐ１は、何れのフレーム画像としてもよいが、ここでは、１番目（最初）に撮影されたフレーム画像として説明する。即ち、本実施の形態における基準画像Ｐ１は、吸気→呼気の変換点で撮影された、呼吸１サイクル中で肺野の面積が最大となる画像として説明する。
【００５１】
次いで、基準画像Ｐ１から肺野領域の抽出が行われる（ステップＳ１０２）。
【００５２】
肺野領域は、放射線（Ｘ線）の透過量が多いため、その周辺の領域に比べて信号値が高くなる。そこで、例えば、以下の処理により肺野領域が抽出される。
【００５３】
まず、各画素の信号値から濃度ヒストグラムを作成し、判別分析法等によって閾値を求める。次いで、求められた閾値より高信号の領域を肺野領域の候補として抽出する。次いで、候補領域の境界付近でエッジ検出を行い、境界付近の小領域でエッジが最大となる点を境界に沿って抽出していく。そして、抽出されたエッジ点を多項式関数で近似して肺野領域の境界線を取得する。
【００５４】
次いで、抽出した肺野領域を含む矩形領域が設定され、その矩形領域が０．４〜４ｃｍ角の小領域Ａ１（図５に点線で示す）に分割される（ステップＳ１０３）。
【００５５】
次いで、カウンタｎに１が設定され（ステップＳ１０４）、撮影順がｎ番のフレーム画像における各小領域Ａ１が（ｎ＋１）番のフレーム画像のどの位置に対応するかを求めるローカルマッチング処理が行われる（ステップＳ１０５）。
【００５６】
ローカルマッチング処理は、例えば、特開２００１−１５７６６７号に記載されている手法により行うことができる。具体的には、まず、撮影順が（ｎ＋１）番のフレーム画像に、撮影順がｎ番のフレーム画像における各小領域Ａ１の探索領域がそれぞれ設定される。ここで、（ｎ＋１）番のフレーム画像に設定される各探索領域のそれぞれは、ｎ番のフレーム画像における各小領域Ａ１における中心点の座標を（ｘ，ｙ）とすると、同一の中心点（ｘ，ｙ）をもち、ｎ番のフレーム画像の各小領域Ａ１よりも縦横の幅が大きくなるように設定される（例えば、縦横の幅がそれぞれ２倍）。
【００５７】
次いで、ｎ番のフレーム画像の各小領域Ａ１毎に、（ｎ＋１）番のフレーム画像に設定された探索領域において最もマッチング度合いが高くなる位置が算出され、（ｎ＋１）番のフレーム画像上での対応位置として算出される。マッチング度合いとしては、最小二乗法や相互相関係数が指標に用いられる。
【００５８】
ローカルマッチング処理により撮影順がｎ番のフレーム画像の各小領域Ａ１が（ｎ＋１）番のフレーム画像のどの位置（小領域）に対応するかが算出されると、（ｎ＋１）番のフレーム画像における各小領域Ａ１の中心点の座標（ｘ´，ｙ´）がｎ番のフレーム画像の各小領域Ａ１の中心点の座標（ｘ，ｙ）に対応する位置として取得され、ＲＡＭに記憶される（ステップＳ１０６）。
【００５９】
次いで、（ｎ＋１）＞フレーム画像数であるか否かが判断され、（ｎ＋１）＞フレーム画像数ではないと判断されると（ステップＳ１０７；ＮＯ）、カウンタｎが１インクリメントされ（ステップＳ１０８）、処理はステップＳ１０５に戻る。（ｎ＋１）＞フレーム画像数であると判断されると（ステップＳ１０７；ＹＥＳ）、各フレーム画像が、図５に実線で示すように、各小領域Ａ１の中心点を頂点とした新たな小領域Ａ２に分割され（ステップＳ１０９）、領域分割処理は終了し、図３のステップＳ１２に移行する。
【００６０】
なお、上述の領域分割処理においては、基準画像Ｐ１における肺野領域を含む領域を縦横等間隔（０．４〜４ｃｍ）に区切って小領域Ａ１を生成したが、フレーム画像における肺野内の血管領域の抽出（詳細後述）を行って血管の分岐点等、構造的に特徴のある点を求め、求めた点を中心点とした矩形領域を小領域Ａ１としてローカルマッチング処理を行う対象領域としてもよい。
【００６１】
また、上述の領域分割処理においては、各フレーム画像の画像データそのものでローカルマッチング処理を行ったが、グラディエントフィルタ等によりエッジ抽出した画像に対してローカルマッチング処理を行ってもよい。このとき、肋骨の影響を排除するために、各フレーム画像から肋骨部を画像認識し、肋骨部のエッジのみを排除することが好ましい。各フレーム画像における肋骨部の認識は、例えば、特開２００５−２０３３８号公報に提案されているように、エッジ検出（放物線近似形状検出）により検出された肋骨の初期形状を肋骨形状モデル（教師データから得られた平均形状と、教師データの主成分分析により得られた複数の主成分形状との線形和として任意の肋骨形状を生成する）に投影して、肋骨のモデル投影形状を求める手法を適用することができる。
【００６２】
図３のステップＳ１２においては、喚気判定処理が実行される。
【００６３】
図６に、喚気判定処理のフローを示す。当該処理は、制御部４１と記憶部４２に記憶されている喚気判定処理プログラムとの協働により実現される。
【００６４】
まず、各フレーム画像において、新たに生成された小領域Ａ２毎に、基準画像Ｐ１に対する面積変化率（具体的には、基準画像Ｐ１において対応する小領域Ａ２に対する面積変化率をいう）、及び、撮影順が一つ前のフレーム画像に対する面積変化率（具体的には、撮影順が一つ前のフレーム画像おいて対応する小領域Ａ２に対する面積変化率をいう）が算出される（ステップＳ２０１）。ここで、各フレーム画像の各小領域Ａ２毎の、基準画像Ｐ１に対する面積変化率は、例えば、各フレーム画像の各小領域Ａ２の面積（ａとする）の、基準画像Ｐ１において対応する小領域Ａ２の面積（ｂとする）に対する比の値（ａ／ｂ）で求めることができる。同様に、各フレーム画像の各小領域Ａ２毎の、撮影順が一つ前のフレーム画像に対する面積変化率は、例えば、各フレーム画像の各小領域Ａ２の面積（ａとする）の、撮影順が一つ前において対応する小領域Ａ２の面積（ｃとする）に対する比の値（ａ／ｃ）で求めることができる。各小領域Ａ２の面積は、小領域Ａ２内の画素数をカウントし、カウントした画素数に基づいて求めることができる。
【００６５】
次いで、各フレーム画像における小領域Ａ２毎に算出された、基準画像Ｐ１に対する面積変化率及び撮影順が一つ前のフレーム画像に対する面積変化率を用いて解析が行われ、小領域Ａ２毎に、喚気の状態が異常であるか否が判定される（ステップＳ２０２）。ステップＳ２０２では、主に、周辺小領域の挙動との整合性と時間変化に対する面積変化率の整合性を調べることで喚気の状態が異常であるか否かの判定を行う。例えば、各フレーム画像における各小領域Ａ２について、基準画像Ｐ１に対する面積変化率、及び、撮影順が一つ前のフレーム画像に対する面積変化率を、それぞれ、周辺、左右肺野、上下肺野で比較する。
〔周辺〕
各フレーム画像における各小領域Ａ２の面積変化率（基準画像Ｐ１に対する面積変化率、一つ前のフレーム画像に対する面積変化率のそれぞれ）について、垂直位置（垂直方向における位置）が略同一である同一肺野内（左肺野又は右肺野）の周辺の複数の小領域Ａ２における面積変化率の平均値と比較する。そして、求めた平均値に対して予め定められた範囲（例えば、平均値±２０％）を超えている小領域Ａ２を異常と判定する。例えば、図７（ａ）に太線で示す小領域Ａ２については、同図において点線で囲った領域内の複数の小領域Ａ２における面積変化率の平均値と比較し、平均値に対して予め定められた範囲を超えるか否かで異常であるか否かを判定する。各小領域Ａ２のサイズが所定サイズより小さい場合、図７（ｂ）に示すように、面積変化率の平均値を求める領域を複数行としてもよい。
【００６６】
異常と判定された各小領域Ａ２については、面積変化（面積の増減量）が周辺に比べて大きすぎるか又は小さすぎるかを判定する。例えば、本実施の形態のように、基準画像Ｐ１を肺野面積が最大の画像とした場合、以下の基準１）、２）によりこの判定を行うことができる。
１）基準画像Ｐ１に対する面積変化率に基づき異常と判定された場合
・面積変化率が周辺の面積変化率の平均値−２０％より小さい→面積変化が大きい（基準画像Ｐ１からの変化（縮小率）が大きい）
・面積変化率が周辺の面積変化率の平均値＋２０％より大きい→面積変化が小さい（基準画像Ｐ１からの変化（縮小率）が小さい）
２）一つ前のフレーム画像に対する面積変化率に基づき異常と判定された場合
ａ）呼気時
・面積変化率が周辺の面積変化率の平均値−２０％より小さい→面積変化が大きい（一つ前のフレーム画像からの変化（縮小率）が大きい）
・面積変化率が周辺の面積変化率の平均値＋２０％より大きい→面積変化が小さい（一つ前のフレーム画像からの変化（縮小率）が小さい）
ｂ）吸気時
・面積変化率が周辺の面積変化率の平均値−２０％より小さい→面積変化が小さい（一つ前のフレーム画像からの変化（膨張率）が小さい）
・面積変化率が周辺の面積変化率の平均値＋２０％より大きい→面積変化が大きい（一つ前のフレーム画像からの変化（膨張率）が大きい）
異常と判定された小領域Ａ２があるフレーム画像のヘッダ領域には、異常の種別を示す情報（例えば、「喚気：周辺」であることを示すコード等）、異常と判定された小領域Ａ２の位置情報（例えば、小領域Ａ２の４つの頂点の座標等）、異常と判定された面積変化率の種類を識別するための情報（例えば、基準画像Ｐ１に対する面積変化率又は一つ前のフレーム画像に対する面積変化率の何れが異常かを識別するためのコード等）、異常と判定した理由（面積変化（面積の増減量）が周辺に比べて大きすぎるか又は小さすぎるかの区別を示すコード等）が対応付けて書き込まれる。
【００６７】
上述の判定を行うことにより、周辺領域と異なる挙動をする小領域Ａ２を異常個所として検出することができる。
〔左右肺野〕
各フレーム画像の左右それぞれの肺野領域において、垂直位置（垂直方向における位置）が略同一の小領域Ａ２の面積変化率（基準画像Ｐ１に対する面積変化率、一つ前のフレーム画像に対する面積変化率のそれぞれ）を平均化して平均値を算出し、垂直位置が略同じ左右の肺野領域の平均値を比較する。そして、一方の平均値が他方の平均値に対して予め定められた範囲（例えば、対となる肺野の平均値±２０％）を超えている場合に、この左右の肺野領域に含まれる全小領域Ａ２を異常と判定する。例えば、図８（ａ）に示す斜線で囲まれた領域Ｂ１に含まれる小領域Ａ２の面積変化率の平均値と、領域Ｂ２に含まれる小領域Ａ２の面積変化率の平均値を比較し、その結果、予め定められた範囲を超えている場合は、領域Ｂ１、Ｂ２に含まれる小領域Ａ２全てを異常と判定する。小領域Ａ２のサイズが所定サイズより小さい場合、図８（ｂ）に示すように、面積変化率の平均値を求める領域を複数行としてもよい。
【００６８】
異常と判定された左右の肺野領域については、面積変化（面積の増減量）が対となる肺野領域（左右の他方の肺野の垂直位置が略同一の領域）に比べて大きすぎるか又は小さすぎるかを判定する。例えば、本実施の形態のように、基準画像Ｐ１を肺野面積が最大の画像とした場合、以下の基準１）、２）によりこの判定を行うことができる。
１）基準画像Ｐ１に対する面積変化率に基づき異常と判定された場合
・面積変化率の平均値が対となる肺野領域の面積変化率の平均値−２０％より小さい→面積変化が大きい（基準画像Ｐ１からの変化（縮小率）が大きい）
・面積変化率の平均値が対となる肺野領域の面積変化率の平均値＋２０％より大きい→面積変化が小さい（基準画像Ｐ１からの変化（縮小率）が小さい）
２）一つ前のフレーム画像に対する面積変化率に基づき異常と判定された場合
ａ）呼気時
・面積変化率の平均値が対となる肺野領域の面積変化率の平均値−２０％より小さい→面積変化が大きい（一つ前のフレーム画像からの変化（縮小率）が大きい）
・面積変化率の平均値が対となる肺野領域の面積変化率の平均値＋２０％より大きい→面積変化が小さい（一つ前のフレーム画像からの変化（縮小率）が小さい）
ｂ）吸気時
・面積変化率の平均値が対となる肺野領域の面積変化率の平均値−２０％より小さい→面積変化が小さい（一つ前のフレーム画像からの変化（膨張率）が小さい）
・面積変化率の平均値が対となる肺野領域の面積変化率の平均値＋２０％より大きい→面積変化が大きい（一つ前のフレーム画像からの変化（膨張率）が大きい）
異常と判定された小領域Ａ２があるフレーム画像のヘッダ領域には、異常の種別を示す情報（例えば、「喚気：左右肺野」であることを示すコード）、異常と判定された小領域Ａ２の位置情報（例えば、小領域Ａ２の４つの頂点の座標等）、異常と判定された面積変化率を識別するための情報（例えば、基準画像Ｐ１との面積変化率又は一つ前のフレーム画像との面積変化率の何れが異常かを識別するためのコード）、各小領域Ａについて異常と判定した理由（対となる肺野領域（左右の他方の肺野の垂直位置が略同一の領域）に比べて面積変化が大きすぎるか又は小さすぎるかの区別を示すコード等））が対応付けて書き込まれる。
【００６９】
上述の判定を行うことにより、右と左の挙動がアンバランスな領域を異常として検出することができる。
〔上下肺野〕
まず、各小領域Ａ２毎に、呼吸運動１サイクル分のフレーム画像間における面積変化率最大値（最大の面積／最小の面積）を算出し、左右それぞれの肺野領域において、算出した各小領域Ａ２の面積変化率最大値を水平方向に（行方向に）平均化して、垂直位置が略同じ複数の小領域Ａ２の面積変化率最大値の平均値を算出する。そして、「面積の変化率は上肺野ほど小さい」という正常動作に反する箇所を異常と判定する（第１の例）。具体的には、各垂直位置より下に位置する垂直位置に、その垂直位置において算出された面積変化率最大値の平均値より小さいところがあった場合、その垂直位置に属する全小領域Ａ２を異常と判定する。また、別の例として、各垂直位置の面積変化率最大値の平均値と、肺底からの垂直位置に応じた面積変化率最大値の正常値（標準値）を比較し、正常値に対して予め定められた範囲（例えば、正常値±２０％）を超える場合に、その垂直位置の全ての小領域Ａ２を異常と判定する。上述の正常値は、肺底からの垂直位置に関する関数となっている。この正常値の関数は、患者情報（年齢、身長、性別）、及び撮影状態（通常時／深呼吸時）に応じて予め決定される。
【００７０】
また、「面積の変化は上肺野ほど、変化の開始タイミングが遅い（肺底に対して変化タイミングが遅れる）」という正常動作に反する箇所を異常と判定する（第２の例）。具体的には、各垂直位置より下に位置する垂直位置に、その垂直位置より面積変化開始タイミングが遅いところがあった場合、その垂直位置に属する全小領域Ａ２を異常と判定する。面積変化開始タイミングとは、基準画像Ｐ１に対する面積変化率が所定値を超えるタイミングである。このタイミングは、基準画像Ｐ１から当該基準画像Ｐ１に対する面積変化率が所定値を超えるフレーム画像までの画像枚数によりカウントすることができる。また、別の例として、各垂直位置の面積変化開始タイミングと、肺底からの垂直位置に応じた面積変化開始タイミングの正常値（標準値）を比較し正常値に対して予め定められた範囲（例えば、正常値±２０％）を超える場合に、その垂直位置の全ての小領域Ａ２を異常と判定する。上述の正常値は、肺底からの垂直位置に関する関数となっている。この正常値の関数は、患者情報（年齢、身長、性別）、及び撮影状態（通常時／深呼吸時）に応じて決定される。正常値との比較判定の際は、正常値と呼吸周期が一致するように計測データ（基準画像Ｐ１からの面積変化率が所定以上となるタイミング）を正規化してから（基準画像Ｐ１からの面積変化率が所定以上となるタイミング／フレーム画像撮影時の呼吸周期×正常値の呼吸周期、を算出してから）比較してもよい。
【００７１】
第１の例において異常と判定された小領域がある場合は、基準画像Ｐ１のヘッダ領域等に、異常の種別を示す情報（例えば、「喚気：上下肺野（面積変化率最大値）」を示すコード）、異常と判定された小領域Ａ２の位置情報（例えば、小領域Ａ２の４つの頂点の座標等）が書き込まれる。第２の例において異常と判定された小領域Ａ２がある場合は、基準画像Ｐ１のヘッダ領域等に、異常の種別（例えば、「喚気：上下肺野（面積変化開始タイミング）」を示すコード）、異常と判定された小領域Ａ２の位置情報（例えば、小領域Ａ２の４つの頂点の座標等）が書き込まれる。
【００７２】
上述の判定を行うことにより、立位撮影における正常性を検証し、異常を検出することができる。上述の第１の例では１患者のデータ内での上下の相対比較により、第２の例では正常値（標準値）との絶対値比較により異常を検出する。
【００７３】
ステップＳ２０２における判定が終了すると、処理は図３のステップＳ１３に移行し、血流判定処理が実行される。
【００７４】
図９に、血流判定処理のフローを示す。当該処理は、制御部４１と記憶部４２に記憶されている血流判定処理プログラムとの協働により実現される。
【００７５】
まず、各フレーム画像において、心臓領域が抽出され、心臓領域の形状変化から心周期が認識され、各フレーム画像と心周期との対応付けが行われる（ステップＳ３０１）。
【００７６】
各フレーム画像における心臓領域の抽出は、例えば、以下の処理により行われる。
【００７７】
まず、肺野領域が認識される。次いで、肺野領域の外接矩形領域から探索領域を限定する。次いで、探索領域の各画素の信号値から濃度ヒストグラムを作成し、判別分析法等によって閾値を求め、閾値より低信号の領域を心臓の候補領域として抽出する。次いで、候補領域内でエッジ検出を行い、所定の大きさ以上の微分値の極大値を追跡することで、心臓領域の輪郭線を抽出する。このとき、背景若しくは心臓内部のエッジを追跡しないように、近似的心臓領域の形状をもとに輪郭エッジ点の探索領域を限定する。そして、抽出された心臓領域の輪郭線画像に対して、心臓輪郭線テンプレートでテンプレートマッチングを行い、相関値が最大となる位置でのテンプレート領域を心臓領域として認識する。ここで、心臓輪郭線テンプレートは、心周期において心室が拡張期→収縮期に変わるタイミングのテンプレート、心室の収縮期のテンプレート、心室が収縮期→拡張期に変わるタイミングのテンプレート、心室の拡張期のテンプレート等、心周期における心室がとり得る各状態のテンプレートを予め用意しておき、心周期における心室の各状態のテンプレートとの相関値が最大となるフレーム画像を、その状態を示すフレーム画像として認識する。なお、撮影時に心電計を患者に取り付けておき、放射線照射と同時に心電波形のデータ収集を行い、得られた心電波形に基づいて、撮影用コンソール２において各フレーム画像が心周期におけるどの状態に相当する画像であるかを判定し、各フレーム画像のヘッダ領域に予め書き込んでおくようにしてもよい。
【００７８】
ステップＳ３０１においては、各フレーム画像において心臓領域を抽出後、心周期における所定タイミングから次に同じタイミングとなるまでの一連の画像（ここでは、例えば、心室が拡張期から収縮期へ変わるタイミングから次に心室が拡張期から収縮期へ変わるタイミングまでの一連のフレーム画像とする）が一心周期単位として抽出される。そして、各フレーム画像のヘッダ領域に、心周期単位を識別する番号（ここでは、１から始まる連続番号）を書き込むとともに、少なくとも心周期において心室が拡張期→収縮期に変わるタイミングに相当するフレーム画像、及び、心周期において心室が収縮期→拡張期に変わるタイミングに相当するフレーム画像のテンプレートには、その旨を示す情報が書き込まれる。
【００７９】
次いで、カウンタｎに１が設定され（ステップ３０２）、撮影順が（ｎ＋１）番のフレーム画像のワーピング処理が実行される（ステップＳ３０３）。
【００８０】
ワーピング処理は、例えば、以下のようにして行われる。
【００８１】
まず、撮影順がｎ番のフレーム画像の各小領域Ａ１の中心点（中心画素）と（ｎ＋１）番のフレーム画像の対応する各小領域Ａ１の中心点のシフト値（Δｘ，Δｙ）がそれぞれ算出される。小領域Ａ１は、領域分割処理のステップＳ１０３又はステップＳ１０５において求められた領域であり、各シフト値（Δｘ，Δｙ）は、ｎ番のフレーム画像の各小領域Ａ１の中心点を（ｘ，ｙ）、（ｎ＋１）番のフレーム画像の対応する各小領域Ａ１の中心点を（ｘ´，ｙ´）とすると、（Δｘ＝ｘ´−ｘ，Δｙ＝ｙ´−ｙ）を算出することにより求められる。
【００８２】
次いで、求められた各シフト値（Δｘ，Δｙ）を用いた２次元１０次多項式による近似処理により（ｎ＋１）番のフレーム画像の各画素毎のシフト値（Δｘ，Δｙ）が算出される。そして、得られた各画素のシフト値（Δｘ，Δｙ）に基づいて、（ｎ＋１）番のフレーム画像に非線形歪変換処理（ワーピング処理）が施され、（ｎ＋１）番のフレーム画像の各画素がシフトされた新たなフレーム画像が、ワーピング処理前のフレーム画像とは別に作成される。各フレーム画像におけるワーピング処理前後の各画素の対応関係は、ＲＡＭに記憶される。これにより、ワーピング処理後の各画素がワーピング処理前のどの画素に対応しているか（どの小領域Ａ２に含まれるか）を求めることが可能となる。ワーピング処理で得られた新たなフレーム画像は、ｎ番のフレーム画像との対応する画素におけるマッチングが非常に良い画像となっている。ワーピング処理を行うことで、フレーム画像間の肺野内の形状を基準画像Ｐ１と一致させることができる。
【００８３】
次いで、（ｎ＋１）＞フレーム画像数であるか否かが判断され、（ｎ＋１）＞フレーム画像数ではないと判断されると（ステップＳ３０４；ＮＯ）、カウンタｎが１インクリメントされ（ステップＳ３０５）、処理はステップＳ３０３に戻る。（ｎ＋１）＞フレーム画像数であると判断されると（ステップＳ３０４；ＹＥＳ）、処理はステップＳ３０６に移行する。
【００８４】
ステップＳ３０６においては、一連のフレーム画像が心周期単位に（ステップＳ３０１で付与された同一の識別番号毎に）グループ化される。次いで、カウンタｎに１が設定され（ステップＳ３０７）、番号ｎのグループにおけるワーピング処理により作成された各フレーム画像の対応する画素値同士が加算され、更に番号ｎに属するフレーム画像数で除算されることにより平均化画像が作成される（ステップＳ３０８）。次いで、作成された平均化画像において血管領域の抽出が行われる（ステップＳ３０９）。
【００８５】
ステップＳ３０８の平均化画像における血管領域の抽出は、例えば、ヘッセ行列の各画素から計算された最大固有値を用いて線状構造物を抽出する方法（「医用画像における円形・線状パターン検出のためのフィルタバンク構築」電子情報通信学会論文誌D-II Vol.J87-D-II No.１pp175-185）を適用することができる。また、ヘッセ行列の各要素を生成する帯域分割フィルタバンクを構築することにより、各解像度レベルでの線状構造物の抽出が可能となり、大きさの異なる血管領域を抽出することができる。この方法では、血管影と同時に肋骨も抽出されるが、上述のように、肋骨の形状モデルを用いることで肋骨を認識し、抽出結果の中から削除する。更に、抹消血管の抽出に対しては、例えば血管構造のモデルとして血管影の形状を考慮した伸長や併合、分割といった変形が可能な樹状図形モデルを用い、評価関数が最大化する樹状構造を抽出する方法（「Deformable Modelを用いた胸部Ｘ線像からの血管影の自動抽出手順」MEDICAL IMAGENG TECHNOLOGY Vol.17 No.5September 1999）を用いることで、抹消血管の領域を抽出することができる。
【００８６】
次いで、抽出された血管領域上の各画素の濃度変化量が算出されて解析され、各小領域Ａ２の血流の状態が異常であるか否かが判定される（ステップＳ３１０）。
【００８７】
例えば、一心周期分のワーピング処理されたフレーム画像から所定期間（心室が拡張期→収縮期に変わるタイミングから収縮期→拡張期に変わるタイミングまで）のフレーム画像を抽出し、その中から定めた基準画像Ｐ２（ここでは、心室が拡張期→収縮期に変わるタイミングのフレーム画像とする）と各フレーム画像との対応する画素同士の信号値（濃度値）の差分をとって差分画像を算出することで、各画素の濃度変化量を算出する。そして、ステップＳ３０９で抽出された各血管領域上の各画素において、所定期間での濃度変化量の積分値を、撮影条件（例えば、管電圧）／血管径に応じて予め定められた基準値と比較し、予め定められた基準値±αの範囲を超えている場合は、その画素を含む小領域Ａ２の血流の状態を異常と判定する。なお、各画像における血管径は、抽出した血管領域の幅の端から端までの間の画素数に基づいて求めることができる。基準値は、患者情報（患者の身長、体重、年齢、性別）に応じて変更してもよい。
【００８８】
また、各血管領域上の各画素における濃度変化タイミング（その心周期における基準画像Ｐ２からの濃度変化量が撮影条件／血管径に応じて予め定められた所定値以上となるタイミング）と、心臓からの距離／血管径に応じた濃度変化タイミングの正常値（標準値）を比較し、正常値に対して予め定められた範囲（例えば、正常値±２０％）を超える場合に、その画素を含む小領域Ａ２の血流を異常と判定する。この正常値は、心臓からの距離に関する関数となっている。この正常値は、患者情報（年齢、身長、性別）及び撮影情報（通常時／深呼吸時）によって決定される。正常値との比較判定の際は、正常値と心周期が一致するように計測データ（基準画像Ｐ２からの濃度変化量が所定以上となるタイミング）を正規化してから（基準画像Ｐ２からの濃度変化量が所定以上となるタイミング／フレーム画像撮影時の心周期×正常値の心周期、を算出してから）比較してもよい。
【００８９】
異常と判定された小領域Ａ２がある場合は、各心周期単位における基準画像Ｐ２のヘッダ領域等に、異常の種別を示す情報（例えば、「血流：濃度変化量」を示すコード又は「血流：濃度変化タイミング」を示すコード）、異常と判定された小領域Ａ２の位置情報（例えば、小領域Ａ２の４つの頂点の座標等）が対応付けて書き込まれる。
【００９０】
なお、ここでは、平均化画像を作成して血管領域を抽出し、血管領域上の各画素の濃度変化から各小領域Ａ２の血流状態の異常を判定したが、血管領域を抽出せず、単に心周期単位の小領域Ａ２で平均信号値を算出し、その平均信号値の変動を血流の指標として用いることも可能である。例えば、周囲の小領域との信号値変化量の差や信号値変化のタイミングのズレに基づいて血流状態の正常／異常を判定する。
【００９１】
また、濃度変化だけでなく、血管径を計測／解析することで、血流状態の正常／異常を判定することも可能である。例えば、ガウス・へシアン行列を用いて所定領域内の最大血管直径を算出し、求めた値を肺野の垂直方向で比較する手法（「胸部Ｘ線画像からの上下肺野における最大血管径比による僧帽弁狭窄症の診断支援」MEDICAL IMAGENG TECHNOLOGYVol.19 No.5 September 1999）を用いることにより、血流の正常／異常を判定することができる。また、濃度変化による解析と、血管径による解析を組み合わせて血流の正常／異常を判定することもできる。
【００９２】
番号ｎのグループにおける解析及び判定が終了すると、ｎ＞（心周期単位の数）であるか否かが判断され、ｎ＞（心周期単位の数）ではないと判断されると（ステップＳ３１１；ＮＯ）、カウンタｎが１インクリメントされ（ステップＳ３１２）、処理はステップＳ３０７に戻る。ｎ＞（心周期単位の数）であると判断されると（ステップＳ３１１；ＹＥＳ）、心周期単位の結果が統合される（ステップＳ３１３）。例えば、少なくとも一つの心周期単位で異常と判定された小領域Ａ２を異常であると判定し、統合判定結果を、例えば基準画像Ｐ２（撮影順が１のフレーム画像）に書き込む。そして、本処理は終了し、図３のステップＳ１４に移行する。
【００９３】
図３のステップＳ１４においては、異常判定処理が実行される。具体的には、一連のフレーム画像における各小領域Ａ２毎に、上述の喚気判定処理による判定結果及び血流判定処理による判定結果が照合され、喚気判定処理による判定結果及び血流判定処理による判定結果の組み合わせに基づいて、最終的に各小領域Ａ２が異常であるか否かが判定される。例えば、喚気判定処理で「異常なし」と判定され、血流判定処理で「血流の濃度変化が閾値より小さく異常である」と判定された小領域Ａ２は、慢性肺気種の疑いがある異常領域であると判定される。また、喚気判定処理で、「周辺より面積変化が小さい」又は「対となる肺野領域に比べて面積変化が小さい」と判定され、血流判定処理で「異常なし」と判定された小領域Ａ２は、慢性気管支炎の疑いがある異常領域であると判断される。
【００９４】
最終判定結果、具体的には、喚気判定処理の判定結果及び血流判定処理の判定結果の組み合わせにより最終的に異常と判定された小領域Ａ２の位置情報（例えば、小領域Ａ２の４つの頂点の座標）、病名等は、各フレーム画像のヘッダ情報に書き込まれる。
【００９５】
異常判定処理が終了すると、入力された一連の画像データ（フレーム画像）が通信部４３を介して画像サーバ５に送信され（ステップＳ１５）、本処理は終了する。
【００９６】
画像サーバ５においては、演算装置４から動態画像の一連の画像データが受信されると、受信した一連の画像データを記憶装置に記憶する。
（診断用コンソール３の動作）
次に、診断用コンソール３における動作について説明する。
【００９７】
診断用コンソール３においては、操作部３３により表示対象の動態画像の識別ＩＤが入力され、画像表示が指示された際に、制御部３１と記憶部３２に記憶されている表示制御処理プログラムとの協働により図１０に示す表示制御処理が実行される。
【００９８】
まず、通信部３５を介して、画像サーバ５に入力された識別ＩＤを有する動態画像の一連の画像データ（フレーム画像）の取得要求が送信され、画像サーバ５から表示対象の動態画像の一連の画像データ（フレーム画像）が取得される（ステップＳ２１）。
【００９９】
次いで、各フレーム画像のヘッダ領域に付帯されている喚気判定結果、血流判定結果、最終判定結果が取得され（ステップＳ２２）、取得された喚気判定結果、血流判定結果、及び最終判定結果に基づいて、表示部３４に判定結果表示画面が表示され（ステップＳ２３）、本処理は終了する。
【０１００】
図１１（ａ）に、ステップＳ２３において表示部３４に表示される判定結果表示画面３４１の一例を示す。図１１（ａ）に示すように、判定結果表示画面３４１は、喚気判定結果を表示する喚起判定結果表示領域３４１ａ、血流判定結果を表示する血流判定結果表示領域３４１ｂ、最終判定結果を表示する最終判定結果表示領域３４１ｃを有しており、喚気判定結果、血流判定結果、最終判定結果を１画面上に表示している。
【０１０１】
ステップＳ２３においては、まず、各フレーム画像から取得した喚気判定結果、血流判定結果、最終判定結果に基づいて、喚気判定処理により異常と判定された小領域Ａ２、血流判定処理により異常と判定された小領域Ａ２、異常判定処理により最終的に異常と判定された小領域Ａ２がそれぞれ抽出される。ここでは、一連のフレーム画像のうち何れかのフレーム画像で異常と判定された小領域Ａ２が抽出される。次いで、喚起判定結果表示領域３４１ａ、血流判定結果表示領域３４１ｂ、最終判定結果表示領域３４１ｃのそれぞれに、小領域Ａ２が描画された基準画像Ｐ１が表示されるとともに、喚起判定結果表示領域３４１ａに表示された基準画像Ｐ１上に喚気判定処理において異常と判定された小領域Ａ２を示すアノテーションが重畳表示され、血流判定結果表示領域３４１ｂに表示された基準画像Ｐ１上に血流判定処理において異常と判定された小領域Ａ２を示すアノテーションが重畳表示され、最終判定結果表示領域３４１ｃに表示された基準画像Ｐ１上に異常判定処理において異常と判定された小領域Ａ２を示すアノテーションが重畳表示される。アノテーションの表示方法としては、例えば、図１１（ａ）に示すＷ１、Ｗ２のように、異常と判定された小領域Ａ２が太枠で囲って表示される。また、色を変えて表示するようにしてもよい。更に、異常と判定された小領域Ａ２において、その小領域Ａ２が異常と判定されたフレーム画像の数によって、太枠や表示の色を変えて、異常の度合いを医師が確認できるようにしてもよい。
【０１０２】
なお、判定結果表示画面３４１は、図１１（ａ）に示す画面に限定されない。例えば、演算装置４から一連のフレーム画像を診断用コンソール３に送信する際に、併せて平均化画像及び平均化画像における血管抽出結果を送信するようにしておき、血流判定結果領域３４１ｂには、図１１（ｂ）に示すように、抽出した血管を強調した平均化画像上において、異常と判定された小領域Ａ２にアノテーションを表示するようにしてもよい。
【０１０３】
また、判定結果表示画面３４１の他の例として、喚起判定結果表示領域３４１ａ、血流判定結果表示領域３４１ｂ、最終判定結果表示領域３４１ｃのそれぞれに、動態画像の一連のフレーム画像を撮影順に順次切り替えて表示することにより、動態画像を動画表示し、各フレーム画像の表示時に、当該フレーム画像において異常と判定された小領域Ａ２にアノテーションを表示することで、異常となったタイミングを医師に通知するようにしてもよい。
【０１０４】
また、判定結果表示画面３４１においては、最終判定結果の根拠を示すため、喚気判定結果、血流判定結果を併せて表示することとしているが、少なくとも最終判定結果が表示されていればよい。異常判定結果においては、疑わしいと判定された病名を表示することが好ましい。
【０１０５】
また、判定結果表示画面３４１の他の例として、例えば、１つの基準画像Ｐ１上に、喚気と血流のどちらも正常、喚気のみ異常、血流のみ異常、喚気と血流のどちらも異常、の箇所をそれぞれ色を変えて表示するようにしてもよい。
【０１０６】
以上説明したように、本発明に係る動態画像診断支援システム１００によれば、演算装置４において、撮影装置１で撮影された胸部動態画像の複数のフレーム画像のそれぞれを複数の小領域に分割し、複数のフレーム画像間において対応する小領域毎に画像解析を行い、各小領域の喚気の状態が異常であるか否かを判定する喚気判定処理、各小領域の血流の状態が異常であるか否かを判定する血流判定処理、及び、喚気判定処理による判定結果及び血流判定処理による判定結果に基づいて各小領域が異常であるか否かを判定する異常判定処理を実行する。そして、診断用コンソール３において、少なくとも異常判定処理における判定結果を表示する。
【０１０７】
従って、喚気の状態だけでなく、呼吸に伴う血流の状態を加味した診断支援情報を提供することが可能となる。
【０１０８】
また、血流の判定を行う際には、複数のフレーム画像にワーピング処理を施して複数のフレーム画像間の肺野領域の形状を一致させてから血管領域を抽出するので、肺野の形状を各フレーム間であわせるために撮影時に患者が息をとめる必要がない。
【０１０９】
また、判定結果表示画面においては、異常判定処理において異常と判定された基準画像Ｐ１上の小領域にアノテーションが表示されるので、医師が異常と判定された箇所を容易に認識することが可能となる。
【０１１０】
また、判定結果表示画面の表示方法として、動画表示した各フレーム画像において異常判定処理で異常と判定された小領域にアノテーションを表示することにより、異常と判定されたタイミングを医師が容易に認識することが可能となる。
【０１１１】
なお、上述した本実施の形態における記述は、本発明に係る好適な動態画像診断支援システムの一例であり、これに限定されるものではない。
【０１１２】
例えば、判定結果表示画面において、動画表示に異常個所のアノテーションを表示する場合、血流判定結果については、心周期単位で判定された異常個所を表示するようにしてもよい。
【０１１３】
また、例えば、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【０１１４】
その他、動態画像診断支援システム１００を構成する各装置の細部構成及び細部動作に関しても、本発明の趣旨を逸脱することのない範囲で適宜変更可能である。
【符号の説明】
【０１１５】
１００ 動態画像診断支援システム
１ 撮影装置
１１ 放射線源
１２ 放射線照射制御装置
１３ 放射線検出部
１４ 読取制御装置
１５ サイクル検出センサ
１６ サイクル検出装置
２ 撮影用コンソール
２１ 制御部
２２ 記憶部
２３ 操作部
２４ 表示部
２５ 通信部
２６ バス
３ 診断用コンソール
３１ 制御部
３２ 記憶部
３３ 操作部
３４ 表示部
３５ 通信部
３６ バス
４ 演算装置
４１ 制御部
４２ 記憶部
４３ 通信部
４４ バス
５ 画像サーバ
【図１】
0005445662.tif 000002
【図２】
0005445662.tif 000003
【図３】
0005445662.tif 000004
【図４】
0005445662.tif 000005
【図５】
0005445662.tif 000006
【図６】
0005445662.tif 000007
【図７】
0005445662.tif 000008
【図８】
0005445662.tif 000009
【図９】
0005445662.tif 000010
【図１０】
0005445662.tif 000011
【図１１】
0005445662.tif 000012